(57)【要約】  本発明のファスナーストリンガー(10,10a,40,50)は、縫製糸(11,41,51)により構成される少なくとも２列の縫製線(12,42,52)が、ファスナーエレメント(22)の一表面側に、テープ長さ方向に沿って配され、各縫製線(12,42,52)は、それぞれテープ長さ方向においてファスナーエレメント(22)の少なくとも２ピッチごとに刺通部(13,43,53)を有し、各列の刺通部(13,43,53)は、隣接する列の刺通部(13,43,53)に対して、テープ長さ方向にファスナーエレメント(22)の少なくとも１ピッチ分ずらして配されている。これにより、同ファスナーストリンガー(10,10a,40,50)は、ファスナーエレメント(22)の寸法精度、縫製線(12,42,52)の耐摩耗性、及び柔軟性に優れており、また、複数の縫製線(12,42,52)をテープ生地のように見せて目立ち難くすることができる。更に、同ファスナーストリンガーの製造においては、ファスナーエレメント(22)の縫製工程を効率的に且つ安定して行うことができる。
2012035823.tif 000002
【特許請求の範囲】
【請求項１】
連続状のファスナーエレメント(22)が、縫製糸(11,41,51)によりファスナーテープ(20,30) のテープ側縁部(20b,30c) に沿って縫着されたスライドファスナー用ファスナーストリンガー(10,10a,40,50)であって、
前記縫製糸(11,41,51)により構成される少なくとも２列の縫製線(12,42,52)が、前記ファスナーエレメント(22)の一表面側に、テープ長さ方向に沿って配され、
前記各縫製線(12,42,52)は、それぞれテープ長さ方向において前記ファスナーエレメント(22)の少なくとも２ピッチごとに、前記縫製糸(11,41,51)が前記ファスナーテープ(20,30) を刺通する刺通部(13,43,53)を有し、
前記各列に形成される前記刺通部(13,43,53)は、隣接する前記列間において、前記ファスナーエレメント(22)の少なくとも１ピッチ分テープ長さ方向にずらして配されてなる、
ことを特徴とするファスナーストリンガー。
【請求項２】
前記縫製線(12)は、テープ長さ方向に沿って並行に配した第１縫製線(12a) 及び第２縫製線(12b)を有し、
前記第１縫製線(12a) 及び前記第２縫製線(12b)は、前記ファスナーエレメント(22)の一表面側に、前記ファスナーエレメント(22)の噛合頭部(23)側から順番に配され、
前記各列に形成される前記刺通部(13)は、それぞれ前記ファスナーエレメント(22)の２ピッチごとに配され、
前記第１縫製線(12a) の前記刺通部(13)は、前記第２縫製線(12b) の前記刺通部(13)に対して、テープ長さ方向において前記ファスナーエレメント(22)の１ピッチ分ずらして配されてなる、
請求項１記載のファスナーストリンガー。
【請求項３】
前記縫製線(42)は、テープ長さ方向に沿って並行に配した第１縫製線(42a) 、第２縫製線(42b) 、及び第３縫製線(42c)を有し、
前記第１縫製線(42a) 、前記第２縫製線(42b) 、及び前記第３縫製線(42c) は、前記ファスナーエレメント(22)の一表面側に、前記ファスナーエレメント(22)の噛合頭部(23)側から順番に配され、
前記各列に形成される前記刺通部(43)は、それぞれ前記ファスナーエレメント(22)の２ピッチごとに配され、
前記第２縫製線(42b) の前記刺通部(43)は、前記第１縫製線(42a) の前記刺通部(43)及び前記第３縫製線(42c) の前記刺通部(43)に対して、テープ長さ方向において前記ファスナーエレメント(22)の１ピッチ分ずらして配されてなる、
請求項１記載のファスナーストリンガー。
【請求項４】
前記縫製線(52)は、テープ長さ方向に沿って並行に配した第１縫製線(52a) 、第２縫製線(52b) 、及び第３縫製線(52c)を有し、
前記第１縫製線(52a) 、前記第２縫製線(52b) 、及び前記第３縫製線(52c)が、前記ファスナーエレメント(22)の一表面側に、前記ファスナーエレメント(22)の噛合頭部(23)側から順番に配され、
前記各列に形成される前記刺通部(53)は、それぞれ前記ファスナーエレメント(22)の３ピッチごとに配され、
前記第２縫製線(52b) の前記刺通部(53)は、前記第１縫製線(52a) の前記刺通部(53)に対して、テープ長さ方向の一方に前記ファスナーエレメント(22)の１ピッチ分又は２ピッチ分ずらして配され、
前記第３縫製線(52c) の前記刺通部(53)は、前記第２縫製線(52b) の前記刺通部(53)に対して、テープ長さ方向に前記ファスナーエレメント(22)の１ピッチ分ずらして配され、かつ前記第１縫製線(52a) の前記刺通部(53)に対して、テープ長さ方向の一方に前記ファスナーエレメント(22)の２ピッチ分又は１ピッチ分ずらして配されてなる、
請求項１記載のファスナーストリンガー。
【請求項５】
隣接する前記ファスナーエレメント(22)の間には、１つの前記刺通部(13,43,53)が配されてなる請求項１〜４のいずれかに記載のファスナーストリンガー。
【請求項６】
前記各ファスナーエレメント(22)の上脚部(24)を押さえる前記縫製糸(11,41,51)の本数は、前記ファスナーテープ(20,30) の他表面側に表れる前記縫製糸(11,41,51)の本数よりも多く配されてなる請求項１〜5のいずれかに記載のファスナーストリンガー。
【請求項７】
前記各縫製線(12,42,52)は、前記縫製糸(11,41,51)の二重環縫いにより構成されてなる請求項１〜６のいずれかに記載のファスナーストリンガー。
【請求項８】
前記各縫製糸(11,41,51)に着色された色が、隣接する縫製線(12,42,52)において異なった配色に構成されてなる請求項１〜７のいずれかに記載のファスナーストリンガー。
【請求項９】
前記各縫製糸(11,41,51)を構成する針糸及びルーパ糸にそれぞれ着色された色が、異なった配色に構成されてなる請求項８に記載のファスナーストリンガー。
【請求項１０】
前記各縫製糸(11,41,51)に着色された色が、隣接する縫製線(12,42,52)において同色に構成されてなる請求項１〜７のいずれかに記載のファスナーストリンガー。
【請求項１１】
前記縫製糸(11,41,51)に着色された色と前記ファスナーテープ(20,30)に着色された色とが、異なった配色に構成されてなる請求項８〜１０のいずれかに記載のファスナーストリンガー。
【請求項１２】
請求項１〜請求項１１の何れかに記載のファスナーストリンガー(10,10a,40,50)を、左右に一対有したことを特徴とするスライドファスナー。
【発明の詳細な説明】
【技術分野】
【０００１】
本発明は、連続状のファスナーエレメントが縫製糸によりファスナーテープのテープ側縁部に沿って縫着されたファスナーストリンガー、及び同ファスナーストリンガーを左右に一対有するスライドファスナーに関する。
【背景技術】
【０００２】
スライドファスナー用のファスナーストリンガーは、織成又は編成された細幅状のファスナーテープにファスナーエレメントが取着されて、エレメント列を形成した構成になっている。また一般に、エレメント列を形成するファスナーエレメントの１つとして、モノフィラメントをコイル状又はジグザグ状に成形した連続状のファスナーエレメントが知られている。【０００３】
例えば、コイル状に成形されたファスナーエレメントは、通常、噛合頭部と、噛合頭部からテープ幅方向に延出する一対の上下脚部と、テープ長さ方向において隣接するファスナーエレメント間の上脚部と下脚部とを連結する連結部（反転部と呼ばれることもある）と、を有している。このようにして、連続状のファスナーエレメントが構成されている。【０００４】
このようなコイル状のファスナーエレメントは、上下脚部間に芯紐を挿通させた状態で、同上下脚部が縫製糸の二重環縫いによりファスナーテープのテープ側縁部に沿って縫い付けられる。【０００５】
上下脚部をファスナーテープに縫い付ける縫製糸は、各ファスナーエレメントの上下脚部を表面側（上脚部の上面側）から押さえるルーパ糸と、ファスナーテープの裏面側に配され、ファスナーエレメントの１ピッチごとにファスナーテープを刺通して前記ルーパ糸に交絡する針糸とを有している。そして、同縫製糸によってファスナーエレメントがファスナーテープに縫着されることによって、ファスナーエレメントの表面側には、縫製糸により構成される１列の縫製線がテープ長さ方向に沿って形成される。【０００６】
また、例えば特開昭５１−９０６４５号公報（特許文献１）には、図１２に示したようなファスナーストリンガー60が開示されている。この特許文献１のファスナーストリンガー60では、コイル状のファスナーエレメント61を縫製糸62によって、ファスナーテープ63に安定して縫着するため、ファスナーエレメント61は、２列の縫製線64によってファスナーテープ63に縫い付けられている。このように構成された一対のファスナーストリンガー60を用いて、スライドファスナーが構成されている。【０００７】
そして、各列を構成している縫製線64は、それぞれ縫製糸62の二重環縫いにより構成されている。同縫製糸62の針糸は、ファスナーエレメント61を強固に縫着するために、ファスナーエレメント61の１ピッチごとにファスナーテープ63を刺通して刺通部65を形成しながら、同縫製糸62のルーパ糸に交絡している。【０００８】
このように、コイル状のファスナーエレメント61が、２列の縫製線64によってファスナーテープ63に縫着されることにより、ファスナーエレメント61の位置がテープ長さ方向にずれ難くなり、ファスナーエレメント61の寸法精度を高めることができる。【０００９】
また、同ファスナーストリンガー60では、ファスナーエレメント61の表面側に２列の縫製線64が形成されているので、当該ファスナーストリンガー60を用いてスライドファスナーを構成した場合には、スライダーを繰り返し摺動させてもスライダーが摺接する縫製糸62が切れ難くなり、縫製線64の耐摩耗性を向上させることができる。
【先行技術文献】
【特許文献】
【００１０】
【特許文献１】特開昭５１−９０６４５号公報
【発明の概要】
【発明が解決しようとする課題】
【００１１】
コイル状のファスナーエレメントは、一般に、柔軟性が求められるスライドファスナーに対して好適に用いられることが多い。しかし、特許文献１に記載されているファスナーストリンガー60の構成では、２列の縫製線64にそれぞれ形成される刺通部65が、ファスナーテープ63のテープ長さ方向において、ファスナーエレメント61の１ピッチごとに形成されている。【００１２】
このように、ファスナーエレメント61をファスナーテープ63に縫着するのに２列の縫製線64を用いており、しかも各列に形成される刺通部65は、テープ長さ方向に亘って１ピッチごとに縫製糸62をファスナーテープ63に刺通させた構成になっている。このため、必然的にファスナーエレメント61に対する縫製糸62の密度が大きくなり、ファスナーストリンガー60の柔軟性を低下させることがあった。【００１３】
更に、前記特許文献１のように２列の縫製線64によってファスナーエレメント61を縫着する場合、２列の縫製線64をそれぞれ形成するのに並列に配した２本のミシン針をファスナーテープ63に貫通させて縫製を行う必要がある。しかも、ファスナーエレメント61の１ピッチごとに２本のミシン針をファスナーテープ63に貫通させることになる。【００１４】
しかし、例えばファスナーエレメント61のサイズが小さい場合などでは、縫製工程において、各ファスナーエレメント61間に２本のミシン針をテープ幅方向に並べた状態で貫通させることが難しく、場合によってはミシン針同士が干渉してミシン針の折損を生じさせることがあった。【００１５】
また一般に、ファスナーストリンガーの製造において縫製工程の効率化を図るためには、ファスナーエレメントをファスナーテープに縫製するときの縫製速度を可能な限り速めることが求められる。しかし、特許文献１のファスナーストリンガー60のように、ファスナーエレメント61の１ピッチごとに２本のミシン針をファスナーテープ63に貫通させて縫製を行う場合、ミシンの送り量がファスナーエレメント61の１ピッチの大きさに制限される。このため、特許文献１のファスナーストリンガー60の製造において、ファスナーエレメント61を縫製する縫製速度を速めるには限界があり、縫製工程の更なる効率化を図ることは難しかった。【００１６】
更に、特許文献１のファスナーストリンガー60では、ファスナーエレメント61の表面側に２列の縫製線64が形成されており、しかも、各縫製線64の刺通部65はファスナーエレメント61の１ピッチごとに配されている。そのため、縫製糸62の太さや材質によっては２列の縫製線64がファスナーエレメント61上に盛り上がってしまうことや盛り上がって見えることがある。【００１７】
そして、盛り上がった部分にスライダーが摺動すると、スライダーの摺動抵抗を大きくしてしまうことがある。また、縫製線64がファスナーエレメント61上に盛り上がりはしないが、２列の縫製線64がファスナーエレメント61上に盛り上がって見えるときには、ファスナーストリンガー60を有するスライドファスナーを例えば衣類や鞄類に取り付けた際に、ファスナーエレメント61や縫製線64が衣類や鞄類のデザインを損なわせてしまう場合があった。【００１８】
本発明は上記従来の課題に鑑みてなされたものであって、その具体的な目的は、ファスナーエレメントの寸法精度、縫製線の耐摩耗性、及び柔軟性に優れるとともに、縫製線の盛り上がりや盛り上がった状態に見えることを防止でき、また、ファスナーストリンガーの意匠性を高めることができ、ファスナーエレメントの縫製を効率的に安定して短時間で行うことが可能なファスナーストリンガー、及び、同ファスナーストリンガーを有するスライドファスナーを提供することにある。
【課題を解決するための手段】
【００１９】
上記目的を達成するために、本発明により提供されるスライドファスナー用ファスナーストリンガーは、連続状のファスナーエレメントが、縫製糸によりファスナーテープのテープ側縁部に沿って縫着されたスライドファスナー用ファスナーストリンガーであって、
前記縫製糸により構成される少なくとも２列の縫製線が、前記ファスナーエレメントの一表面側に、テープ長さ方向に沿って配され、前記各縫製線は、それぞれテープ長さ方向において前記ファスナーエレメントの少なくとも２ピッチごとに、前記縫製糸が前記ファスナーテープを刺通する刺通部を有し、
前記各列に形成される前記刺通部は、隣接する前記列間において、前記ファスナーエレメントの少なくとも１ピッチ分テープ長さ方向にずらして配されてなることを最も主要な特徴とするものである。【００２０】
本発明に係るファスナーストリンガーでは、前記縫製線は、テープ長さ方向に沿って並行に配した第１縫製線及び第２縫製線を有し、前記第１縫製線及び前記第２縫製線は、前記ファスナーエレメントの一表面側に、前記ファスナーエレメントの噛合頭部側から順番に配され、
前記各列に形成される前記刺通部は、それぞれ前記ファスナーエレメントの２ピッチごとに配され、前記第１縫製線の前記刺通部は、前記第２縫製線の前記刺通部に対して、テープ長さ方向において前記ファスナーエレメントの１ピッチ分ずらして配されていることが好ましい。【００２１】
また本発明に係るファスナーストリンガーでは、前記縫製線は、テープ長さ方向に沿って並行に配した第１縫製線、第２縫製線、及び第３縫製線を有し、前記第１縫製線、前記第２縫製線、及び前記第３縫製線は、前記ファスナーエレメントの一表面側に、前記ファスナーエレメントの噛合頭部側から順番に配され、
前記各列に形成される前記刺通部は、それぞれ前記ファスナーエレメントの２ピッチごとに配され、前記第２縫製線の前記刺通部は、前記第１縫製線の前記刺通部及び前記第３縫製線の前記刺通部に対して、テープ長さ方向において前記ファスナーエレメントの１ピッチ分ずらして配されていても良い。【００２２】
更に本発明に係るファスナーストリンガーでは、前記縫製線は、テープ長さ方向に沿って並行に配した第１縫製線、第２縫製線、及び第３縫製線を有し、前記第１縫製線、前記第２縫製線、及び前記第３縫製線が、前記ファスナーエレメントの一表面側に、前記ファスナーエレメントの噛合頭部側から順番に配され、
前記各列に形成される前記刺通部は、それぞれ前記ファスナーエレメントの３ピッチごとに配され、前記第２縫製線の前記刺通部は、前記第１縫製線の前記刺通部に対して、テープ長さ方向の一方に前記ファスナーエレメントの１ピッチ分又は２ピッチ分ずらして配され、前記第３縫製線の前記刺通部は、前記第２縫製線の前記刺通部に対して、テープ長さ方向に前記ファスナーエレメントの１ピッチ分ずらして配され、かつ前記第１縫製線の前記刺通部に対して、テープ長さ方向の一方に前記ファスナーエレメントの２ピッチ分又は１ピッチ分ずらして配されていても良い。【００２３】
また、本発明に係るファスナーストリンガーでは、隣接する前記ファスナーエレメントの間には、１つの前記刺通部が配されていることが好ましい。
更に、本発明に係るファスナーストリンガーでは、前記各ファスナーエレメントの上脚部を押さえる前記縫製糸の本数は、前記ファスナーテープの他表面側に表れる前記縫製糸の本数よりも多く配されていることが好ましく、特に、前記各縫製線は、前記縫製糸の二重環縫いにより構成されていることが好ましい。【００２４】
また、本発明に係るファスナーストリンガーでは、前記各縫製糸に着色された色が、隣接する縫製線において異なった配色に構成されていることが好ましい。特に、前記各縫製糸を構成する針糸及びルーパ糸にそれぞれ着色された色が、異なった配色に構成されていることが好ましい。【００２５】
更に、本発明に係るファスナーストリンガーでは、前記各縫製糸に着色された色が、隣接する縫製線において同色に構成されていることが好ましい。また、前記縫製糸に着色された色と前記ファスナーテープに着色された色とが、異なった配色に構成されていることが好ましい。【００２６】
また、本発明によれば、上述の構成を備えたファスナーストリンガーを左右に一対有したスライドファスナーが提供される。
【発明の効果】
【００２７】
本発明に係るファスナーストリンガーでは、ファスナーエレメントをファスナーテープに沿って縫着する縫製線を、ファスナーエレメントの一表面側でテープ長さ方向に沿って少なくとも２列配している。これにより、ファスナーエレメントの位置がテープ長さ方向にずれ難くなり、ファスナーエレメントの寸法精度を高めることができる。【００２８】
また、テープ長さ方向に沿った２列以上の縫製線が、ファスナーエレメント上に配されているので、同ファスナーストリンガーを用いてスライドファスナーを構成した場合にスライダーを繰り返し摺動させても、スライダーに摺接する縫製糸が切れ難くなり、縫製線の耐摩耗性を向上させることができる。【００２９】
また、ファスナーテープを刺通する刺通部は、同ファスナーストリンガーにおける各縫製線において、テープ長さ方向に亘りファスナーエレメントの少なくとも２ピッチごとに配されている。これにより、例えば前記特許文献１のファスナーストリンガーのように、ファスナーエレメントの１ピッチごとに刺通部が配されている場合に比べて、ファスナーエレメントに対する縫製糸の密度を低く構成することができ、ファスナーストリンガーの柔軟性を高めることができる。【００３０】
更に、本発明のファスナーストリンガーでは、ファスナーエレメントの２ピッチごとに刺通部が配される構成になっているので、ファスナーストリンガーを製造する縫製工程において、ミシンの送り量を大きく設定することができる。そして、ミシンの送り量を大きく設定できるので、縫製速度を速くすることができ、ファスナーエレメントの縫製を効率的にしかも短時間で行うことができる。【００３１】
更に、同ファスナーストリンガーにおいて、各縫製線によって形成される各列の刺通部は、隣接する列間において、前記ファスナーエレメントの少なくとも１ピッチ分テープ長さ方向にずらした配置構成になっている。【００３２】
これにより、各列の刺通部がファスナーエレメントの少なくとも２ピッチごとに配されていても、各縫製線によってファスナーエレメントをファスナーテープにしっかりと縫着できる。また、ファスナーエレメントの縫製を行う際に各縫製線を形成するミシン針をテープ長さ方向にずらして配置することができる。これにより、例えばファスナーエレメントのサイズが小さい場合などでも、隣接するミシン針同士が干渉するのを防止でき、ミシン針を折損させることなく、ファスナーエレメントの縫製を円滑に且つ安定して行うことができる。【００３３】
更に、隣接する縫製線間では、それぞれの縫製線に形成される刺通部が、テープ長さ方向に沿って互い違いに配されるため、ファスナーエレメント上に配される複数の縫製線をファスナーテープなどのテープ生地のように見せて目立ち難くすることが可能となる。特に本発明では、各列の縫製線に形成される刺通部は、テープ長さ方向に沿ってファスナーエレメントの２ピッチ以上の大きさの間隔が設けられて配設されている。【００３４】
このように本願発明では、各縫製線において隣接する刺通部間のスパンを長く構成することができるので、各縫製線がファスナーエレメント上に盛り上がった構成になることや盛り上がった状態に見えることを防止できる。これにより、縫製線をより目立ち難くした構成にしておくことができ、従来とは異なる新たな外観を本発明のファスナーストリンガーに与えることができる。また、各縫製線がファスナーエレメント上に盛り上がっていない構成にできるので、スライダーの摺動抵抗を低減させることができる。【００３５】
このような本発明のファスナーストリンガーにおける第１の態様として、縫製線として、テープ長さ方向に沿って並行に配した第１縫製線及び第２縫製線を設けることができる。そして、ファスナーエレメントの一表面側には、第１縫製線及び第２縫製線が、ファスナーエレメントの噛合頭部側からこの順番で配されている。また、各列の縫製線に配される刺通部は、テープ長さ方向に亘ってファスナーエレメントの２ピッチごとに配されており、更に、第１縫製線の刺通部は、第２縫製線の刺通部に対して、テープ長さ方向においてファスナーエレメントの１ピッチ分ずらして配されている。【００３６】
このように構成された第１の態様に係るファスナーストリンガーは、ファスナーエレメントの位置がテープ長さ方向にずれ難く構成でき、更に、第１縫製線及び第２縫製線の耐摩耗性に優れた構成にできる。また、テープ長さ方向に亘って各縫製線の刺通部がファスナーエレメントの２ピッチごとに配されている。そして、第１縫製線の刺通部と第２縫製線の刺通部とは、テープ長さ方向に亘って互い違いに配されているため、第１縫製線を形成するミシン針と第２縫製線を形成するミシン針とをテープ長さ方向にずらした位置に配することができる。【００３７】
これにより、ファスナーストリンガーの製造において、ファスナーエレメントの縫製を効率的に且つ安定して短時間で行うことができる。更に、第１縫製線及び第２縫製線をテープ生地のように見せて目立ち難く構成することができる。また、ファスナーストリンガーの柔軟性を容易に確保することができる。【００３８】
また、本発明のファスナーストリンガーにおける第２の態様として、縫製線として、テープ長さ方向に沿って並行に配した第１縫製線、第２縫製線、及び第３縫製線を設けることができる。そして、ファスナーエレメントの一表面側には、第１縫製線、第２縫製線、及び第３縫製線が、ファスナーエレメントの噛合頭部側からこの順番で配されている。【００３９】
また、テープ長さ方向に亘って各縫製線の刺通部がファスナーエレメントの２ピッチごとに配されている。更に、第２縫製線の刺通部は、第１縫製線の刺通部及び第３縫製線の刺通部に対して、テープ長さ方向においてファスナーエレメントの１ピッチ分ずらして配されている。【００４０】
このように構成された第２の態様に係るファスナーストリンガーは、ファスナーエレメントの位置がテープ長さ方向にずれ難い構成になり、更に、各縫製線の耐摩耗性に対して極めて優れた構成になっている。また、各縫製線の刺通部が、それぞれファスナーエレメントの２ピッチごとに配されている。そして、第２縫製線と、第１縫製線及び第３縫製線との間ではそれぞれに形成される刺通部の位置が、テープ長さ方向において互い違いに配されている。【００４１】
これによって、第２縫製線を形成するミシン針と第１縫製線を形成するミシン針及び第３縫製線を形成するミシン針とをテープ長さ方向にずらした位置に配することができる。しかも、第１縫製線を形成するミシン針と第３縫製線を形成するミシン針とは、テープ幅方向において第２縫製線の幅分以上離間させて配することができる。このように構成されているので、ファスナーストリンガーの製造において、ファスナーエレメントの縫製を効率的に且つ安定して短時間で行うことができる。【００４２】
更に、この第２の態様に係るファスナーストリンガーでは、ファスナーエレメントの一表面側にテープ長さ方向に沿った３列の縫製線が配されるため、これらの縫製線によってファスナーエレメントを隠して外部から見え難くすることができる。そして、ファスナーエレメント上に露呈する第１縫製線〜第３縫製線を、よりテープ生地のように見せて一層目立ち難く構成しておくことができる。【００４３】
このファスナーストリンガーを用いてスライドファスナーを構成することにより、同スライドファスナーを、デザインに優れる衣類や鞄類などに好適に使用することができる。【００４４】
本発明のファスナーストリンガーにおける第３の態様として、縫製線として、テープ長さ方向に沿って並行に配した第１縫製線、第２縫製線、及び第３縫製線を設けることができる。そして、ファスナーエレメントの一表面側には、第１縫製線、第２縫製線、及び第３縫製線が、ファスナーエレメントの噛合頭部側からこの順番で配されている。【００４５】
また、テープ長さ方向に亘って各縫製線の刺通部が、それぞれファスナーエレメントの３ピッチごとに配されている。しかも、第２縫製線の刺通部は、第１縫製線の刺通部に対して、テープ長さ方向の一方にファスナーエレメントの１ピッチ分又は２ピッチ分ずらして配されている。更に、第３縫製線の刺通部は、前記第２縫製線の前記刺通部に対して、テープ長さ方向に前記ファスナーエレメントの１ピッチ分ずらして配され、かつ第１縫製線の刺通部に対して、テープ長さ方向の一方にファスナーエレメントの２ピッチ分又は１ピッチ分ずらして配されている。【００４６】
このように構成された第３の態様に係るファスナーストリンガーは、ファスナーエレメントの位置がテープ長さ方向にずれ難い構成になり、更に、縫製線として3つの縫製線を用いることができるので、耐摩耗性に極めて優れた縫製線を構成できる。【００４７】
しかも、第１縫製線を形成するミシン針から第３縫製線を形成するミシン針まで互いにテープ長さ方向にずらした位置に配することができ、しかも、第１縫製線を形成するミシン針と第３縫製線を形成するミシン針とは、テープ幅方向において第２縫製線の幅分以上離間させて配することができる。【００４８】
このように構成されているので、ファスナーストリンガーの製造において、ファスナーエレメントの縫製を効率的に且つ安定して短時間で行うことができる。更に、ファスナーストリンガーの柔軟性を容易に確保することができる。【００４９】
このように、この第３の態様に係るファスナーストリンガーでは、ファスナーエレメントの一表面側にテープ長さ方向に沿った３列の縫製線が配されるため、これらの縫製線によってファスナーエレメントを隠して外部から見え難く構成することができる。しかも、ファスナーエレメント上に露呈する第１縫製線〜第３縫製線をテープ生地のように見せて目立ち難くすることができる。【００５０】
また、本発明のファスナーストリンガーにおいては、テープ長さ方向に亘って隣接するファスナーエレメントの間に、何れかの縫製線が有する少なくとも１つの刺通部が配されている。上述のようにファスナーエレメントの一表面側に２列以上の縫製線が配された構成であっても、テープ長さ方向に亘って隣接するファスナーエレメント間には少なくとも１つの刺通部が配される。この構成により、ファスナーエレメントの縫製工程において、２列以上の縫製線をそれぞれ形成する複数本のミシン針は、互いに干渉しない配置構成に配され、縫製加工を効率的に行い易くすることができる。【００５１】
更に、本発明のファスナーストリンガーにおいて、各ファスナーエレメントの一表面側を押さえる縫製糸の本数は、ファスナーテープの他表面側に表れる縫製糸の本数よりも多く構成されている。これにより、ファスナーエレメントの一表面側に配される各縫製線の耐摩耗性が更に向上するとともに、縫製線によってファスナーエレメントを見え難くすることが可能となる。【００５２】
更にまた、本発明のファスナーストリンガーにおいて、各縫製線は縫製糸の二重環縫いにより構成されている。これにより、ファスナーエレメントをファスナーテープに確実に縫着することができる。【００５３】
また、本発明のファスナーストリンガーにおいて、各縫製糸に着色された色が、隣接する縫製線において異なった配色に構成されている。この構成により、縫製線を目立ち難くする代わりに、逆に目立ち易い構成にすることができ、ファスナーストリンガーにおける意匠性を大幅に向上させることができる。そして、このファスナーストリンガーを用いたスライドファスナーを装着した衣類や鞄類等のデザインを引き立たせることができる。
なお、着色された色と記載しているが、本願においては、透明や半透明も本願で言うところの着色された色の一種として包含されている。【００５４】
また、例えば、縫製線が３列に構成されている場合には、各列の色を全て異ならせた色となるように配色させておくこともできる。更に、真ん中に配された列の色だけを残りの列の色とは異ならせた色となるように配色させるなど、デザイン性等を考慮して配色を決めることができる。そして、縫製線が４列以上の場合においても、各列間におけるそれぞれの色の配色は、デザイン性等を考慮して決めることができる。【００５５】
また、本発明のファスナーストリンガーにおいて、各縫製糸を構成する針糸及びルーパ糸にそれぞれ着色された色が、異なった配色に構成されている。この構成により、針糸とルーパ糸とが交絡する刺通部を、チャームポイントとして機能させることができる。しかも、このファスナーストリンガーを用いたスライドファスナーを装着した衣類や鞄類等のデザインを引き立たせるときのバリエーションを豊かにさせることができる。【００５６】
更にまた、本発明のファスナーストリンガーにおいて、各縫製糸に着色された色が、隣接する縫製線において同色に構成されている。この場合、各縫製糸に着色された色が透明であれば、ファスナーエレメント内に挿通した芯紐の色を浮き出させる効果があり、各縫製糸に着色された色が透明以外であれば、複数の縫製線によって一本のテープが設けられているように見せることができる。【００５７】
また、各縫製糸に着色された色が透明のときには、ファスナーエレメント内に挿入した芯紐の色とファスナーテープの色とを適宜組み合わせた配色に構成しておくこともできる。ファスナーエレメントをファスナーテープに直接縫着してエレメント列を構成している場合には、透明の各縫製糸を介してファスナーテープの色を浮き上がらせることができる。このように、芯紐の色とファスナーテープの色とによるデザイン性を向上させることができる。【００５８】
また、本発明のファスナーストリンガーにおいて、縫製糸に着色された色とファスナーテープに着色された色とが、異なった配色に構成されている。このように構成することによって、ファスナーストリンガーにおける意匠性を大幅に向上させることができる。しかも、このファスナーストリンガーを用いたスライドファスナーを装着した衣類や鞄類等のデザインを大いに引き立たせることができる。【００５９】
そして、上述の構成を備えたファスナーストリンガーを左右に一対有した本発明のスライドファスナーでは、左右のファスナーエレメントがそれぞれ２列以上の縫製線によってファスナーテープに縫着されているとともに、各縫製線に形成される刺通部が、ファスナーエレメントの少なくとも２ピッチごとに配されている。このように構成されているため、ファスナーエレメントの寸法精度、縫製線の耐摩耗性、及び柔軟性に優れたスライドファスナーを提供することができる。【００６０】
また、本発明のスライドファスナーでは、各列に形成される刺通部が、隣接する列の刺通部に対して、テープ長さ方向にファスナーエレメントの少なくとも１ピッチ分ずらして配されているため、複数の縫製線がテープ生地のように見えて目立ち難くなるように構成することができる。また逆に、縫製糸やファスナーテープに着色された色に変化を持たせることによって、目立ち易くデザイン性に優れた構成にすることができる。このように、同スライドファスナーを、デザインに優れる衣類や鞄類などに好適に使用することができる。
【図面の簡単な説明】
【００６１】
【図１】図１は、本発明の実施例１に係るファスナーストリンガーを有するスライドファスナーを示す正面図である。
【図２】図２は、同ファスナーストリンガーの一部を拡大して示す正面図である。
【図３】図３は、図２に示したIII−III線の断面図である。
【図４】図４は、同ファスナーストリンガーにおける縫製糸のステッチ形式を示す断面図である。
【図５】図５は、実施例１の変形例に係るファスナーストリンガーを有するスライドファスナーの断面図である。
【図６】図６は、本発明の実施例２に係るファスナーストリンガーの一部を拡大して示す正面図である。
【図７】図７は、本発明の実施例３に係るファスナーストリンガーの一部を拡大して示す正面図である。
【図８】図８は、着色した縫製糸を用いて本発明の実施例１に係るファスナーストリンガーを構成したときの要部を示す正面図である。
【図９】図９は、図８に示したファスナーストリンガーの背面図である。
【図１０】図１０は、図８に示したファスナーストリンガーを一対用い、対向するファスナーエレメント同士を噛合させた状態を示す正面図である。
【図１１】図１１は、異なる色に着色した縫製糸を用いたファスナーストリンガーを一対用い、対向するファスナーエレメント同士を噛合させた状態を示す正面図である。
【図１２】図１２は、従来のスライドファスナーを示す正面図である。
【発明を実施するための形態】
【００６２】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【００６３】
例えば、以下の実施例では、ファスナーテープのテープ側縁部に沿ってコイル状に連続したファスナーエレメントが縫着されてエレメント列が形成されたファスナーストリンガーについて説明する。しかし、本発明は、この構成に限定されず、ファスナーエレメントが連続状に構成されていれば、例えばファスナーテープのテープ側縁部にジグザグ状のファスナーエレメントが縫着されてエレメント列が形成されている構成であっても良い。
【００６４】
また、以下の実施例において、ファスナーエレメントをファスナーテープに縫着している縫製線は、縫製糸の二重環縫いにより構成されているが、本発明における縫製線は、単環縫いなどのその他のステッチ形式により構成されていても良い。
【実施例１】
【００６５】
図１は、本実施例１に係るファスナーストリンガーを有するスライドファスナーを示す正面図である。また、図２は、同ファスナーストリンガーの一部を拡大して示す正面図であり、図３は、図２に示したIII−III線の断面図である。更に、図４は、同ファスナーストリンガーにおける縫製糸のステッチ形式を示す断面図である。【００６６】
なお、以下の説明において、前後方向とは、ファスナーテープの長さ方向を指し、スライダーが摺動する摺動方向と同じ方向であり、図１において、紙面に対して上方向を前方とし、下方向を後方とする。また、左右方向とは、ファスナーテープのテープ幅方向を指すものとし、ファスナーテープのテープ面に平行で、且つ、テープ長さ方向に直交する方向を指すものとする。更に、上下方向とは、ファスナーテープのテープ面に直交するテープ表裏方向を指し、特に、ファスナーテープに対してファスナーエレメントが取着されている側の方向を上方とし、その反対側の方向を下方と規定する。【００６７】
本実施例１に係るファスナーストリンガー10は、図１に示すように、２つ一組で用いられることにより、スタンダードタイプのスライドファスナー１を構成することができる。この場合、同スライドファスナー1は、左右一対の本実施例１に係るファスナーストリンガー10と、同ファスナーストリンガー10のエレメント列21の一端側に固着された上止具6と、同ファスナーストリンガー10のエレメント列21の他端側に固着された下止具7と、エレメント列21に沿って摺動可能に取り付けられたスライダー8と、を有している。【００６８】
また、このスライドファスナー1は、スライダー8を上止具6側に向けて摺動させることにより、左右のエレメント列21を噛合させてスライドファスナー1を閉鎖し、また、スライダー8を下止具7側に向けて摺動させることにより、左右のエレメント列21を分離させてスライドファスナー1を開くように構成されている。なお、このスライドファスナー1における上止具6、下止具7、及びスライダー8は、従来から一般的に用いられているものと同様に構成されている。【００６９】
なお、一本のファスナーストリンガー10を途中で折り曲げ、ファスナーストリンガー10の端部同士を対向させることにより、折り曲げ部までをエレメント列が対向するように配した構成にすることもできる。この構成では、図１に示した上止具6は用いられていない。【００７０】
このようなスライドファスナー1を構成する本実施例１のファスナーストリンガー10は、細幅状に織成されたファスナーテープ20と、ファスナーテープ20のテープ側縁部20bに沿って配されたエレメント列21とを有している。同エレメント列21は、コイル状に連続したファスナーエレメント22が、後述するように上下脚部24，25内に芯紐27を挿通させた状態で縫製糸11を用いてファスナーテープ20に縫着された構成になっている。なお、本発明では、芯紐27を設けずにファスナーエレメント22をファスナーテープ20に縫着してエレメント列を構成することも可能である。【００７１】
本実施例１のファスナーテープ20は、衣服や鞄などのファスナー被着製品に縫い付けられる部分となるテープ主体部20aと、テープ主体部20aの一側縁側に配され、ファスナーエレメント22が取着されるテープ側縁部20b（エレメント取付部と呼ぶこともある）とを有している。【００７２】
なお、本実施例１におけるファスナーテープ20は織組織により構成されているが、本発明においてファスナーテープ20の構成は特に限定されるものではなく、例えばファスナーテープ20を形成する経糸及び緯糸の材質や太さは任意に設定することができる。また、ファスナーテープは編組織により構成されていても良い。【００７３】
本実施例１のファスナーエレメント22は、連続したコイル形状を有しており、ポリアミドやポリエステル等の合成樹脂製モノフィラメントを所定の間隔で押圧することにより膨大状の噛合頭部23を形成し、その後、コイル状に捲き回すことによって形成されている。【００７４】
また、ファスナーエレメント22は、前後方向（ファスナーテープの長さ方向）に張り出すように形成された噛合頭部23と、同噛合頭部23からテープ幅方向に延出した一対の上下脚部24，25と、テープ長さ方向において隣接するファスナーエレメント22間の上脚部24と下脚部25とを連結する連結部26とを有している。この場合、１つの噛合頭部23におけるファスナーテープ20の長さ方向の中心線と、当該噛合頭部23に隣接する噛合頭部23におけるファスナーテープ20の長さ方向の中心線との間の寸法を、ファスナーエレメント22の１ピッチ分の大きさと規定する。【００７５】
本実施例１において、コイル状のファスナーエレメント22は、上下脚部24，25間に芯紐27を挿通させた状態で、噛合頭部23がファスナーテープ20の側端縁から突出するように配されており、縫製糸11によりファスナーエレメント22は、ファスナーテープ20のテープ側縁部20bに縫い付けられている。ファスナーエレメント22における上脚部24の上面側には、噛合頭部23側に配される第１縫製線12aと、連結部26側に配される第２縫製線12bとの２列の縫製線12がテープ長さ方向に沿って形成されている。【００７６】
また、図２、図３に示すように、第１縫製線12a及び第２縫製線12bは、それぞれ縫製糸11の二重環縫いにより構成されている。各列の縫製糸11は、ファスナーテープ20のテープ下面側を走行しながら、ファスナーエレメント22間のテープ部分に刺通されて刺通部13を形成する針糸11aと、刺通部13にて針糸11aに交絡しながら、ファスナーエレメント22の上脚部24側を走行して、ファスナーエレメント22の上面側を押さえるルーパ糸11bとを有している。【００７７】
この場合、図３に示したようにファスナーストリンガー10の横断面を見てみると、各列の縫製線12において、ファスナーテープ20のテープ下面側に配される針糸11aの本数は１本であるのに対し、ファスナーエレメント22の上面側に配されるルーパ糸11bの本数は３本である。即ち、ファスナーエレメント22の上面側に配されるルーパ糸11bの本数が、ファスナーテープ20のテープ下面側に配される針糸11aの本数よりも多く配されている。【００７８】
更に本実施例１では、第１縫製線12a及び第２縫製線12bのそれぞれに形成される刺通部13が、テープ長手方向においてファスナーエレメント22の２ピッチごとに配されており、第１縫製線12a及び第２縫製線12bの各ルーパ糸11bは、２つのファスナーエレメント22の上下脚部24，25を跨いで針糸11aに交絡している。【００７９】
このため、第１縫製線12aの刺通部13間には、図４に示すように、２つの上脚部24及び２つの下脚部25が配置されており、また、第２縫製線12bの刺通部13間にも同様に、２つの上脚部24及び２つの下脚部25が配置されている。更に、ファスナーエレメント22の１ピッチ分の大きさは、互いに隣り合う２つの上脚部24におけるテープ長さ方向の中心線間の寸法と同じであり、刺通部13は、テープ長さ方向に亘ってファスナーエレメント22の２ピッチごとに配されている。【００８０】
またこの場合、図２に示すように、第１縫製線12a上における刺通部13の位置は、第２縫製線12b上における刺通部13の位置に対して、ファスナーエレメント22の１ピッチ分の大きさでテープ長さ方向にずらされて配設されている。そして、第１縫製線12aに形成される刺通部13と第２縫製線12bに形成される刺通部13とは、テープ長さ方向で見ると各ファスナーエレメント22間に１つずつ交互に配されている。即ち、隣接するファスナーエレメント22間には、刺通部13が必ず形成される構成になっている。【００８１】
次に、本実施例１に係るファスナーストリンガー10を製造する方法について説明する。
先ず、ファスナーテープ20を準備する。このファスナーテープ20は、例えば織機を用いて経糸の開口内にキャリアーバーを往復運動させて緯糸を挿入することにより、所望の織組織で織成される。【００８２】
続いて、ミシンを使用して、織成したファスナーテープ20のテープ側縁部20bに沿って、コイル状のファスナーエレメント22を縫製糸11の二重環縫いにより縫着する縫製工程を行う。本実施例１の縫製工程では、２枚のファスナーテープ20をテープ幅方向に並べてミシンの縫製部に供給するとともに、各ファスナーテープ20にそれぞれ縫着する２つのコイル状ファスナーエレメント22を互いに噛み合わせた状態で、ファスナーテープ20と一緒にミシンの縫製部に供給する。そして、当該縫製部において、２つのファスナーエレメント22を噛み合わせた状態のまま、縫製糸11により左右のファスナーテープ20にファスナーエレメント22をそれぞれ縫い付ける。【００８３】
この場合、縫製に使用されるミシンの縫製部には、一方のファスナーエレメント22を2列の第１，２縫製線12a、12bで縫製する２本のミシン針と、他方のファスナーエレメント22を2列の第１，２縫製線12a、12bで縫製する２本のミシン針とが備えられている。一方のファスナーエレメント22に対して行われる縫製加工と、他方のファスナーエレメント22に対して行われる縫製加工とが同時に且つ対称的に行われる。なお、以下では、説明の冗長を避けるために、一方のファスナーエレメント22について行われる縫製加工について詳述する。【００８４】
ミシンの縫製部は、上述のように一方のファスナーエレメント22を2列の第１，２縫製線12a、12bで縫製する２本のミシン針を有しており、これらの２本のミシン針は、ファスナーテープ20の搬送方向の上流側又は下流側に、ファスナーエレメント22の１ピッチ分の大きさで互いに位置をずらして配されている。【００８５】
従って、当該縫製部では、供給されたファスナーテープ20とコイル状のファスナーエレメント22に対して、テープ長さ方向に位置がずらされた２本のミシン針を同時に上下方向に往復運動させることができる。そして、この２本のミシン針の往復運動に合わせてファスナーエレメント22が縫い付けられたファスナーテープ20を下流側に向かって断続的に送ることにより、２列の縫製糸11による二重環縫いでファスナーエレメント22の縫製が行われる。【００８６】
このとき、本実施例１では、２本のミシン針の位置が搬送方向にずらされて配置されているので、第１縫製線12aに形成される刺通部13と第２縫製線12bに形成される刺通部13とを、ファスナーエレメント22の１ピッチ分の大きさでテープ長さ方向に確実にずらして配することができる。【００８７】
また本実施例１では、例えばファスナーエレメント22のサイズが小さい場合であっても、２本のミシン針がテープ長さ方向において互いにずらされた位置に配されているので、ファスナーエレメント22をファスナーテープ20に縫い付ける際に２本のミシン針が互いに干渉するのを防止できる。この構成により、ミシン針を折損することなく、第１縫製線12a及び第２縫製線12bにそれぞれ形成する刺通部13を、テープ長さ方向において互い違いに形成しながらファスナーエレメント22の縫製を、円滑に且つ安定して、しかも短時間で効率的に行うことができる。【００８８】
更に、本実施例１では、ファスナーエレメント22の縫製加工において、各縫製線12の刺通部13をファスナーエレメント22の２ピッチごとに形成しているので、ミシン針の１回の往復運動に対して、ファスナーテープ20及びファスナーエレメント22を、ファスナーエレメント22の２ピッチ分の送り量で下流側に送ることができる。【００８９】
このため、本実施例１では、例えば前記特許文献１のファスナーストリンガー10（図１２を参照）のように縫製糸11の刺通部13がファスナーエレメント22の１ピッチごとに形成されている場合に比べて、ミシンの送り量を大きく構成して縫製速度を速めることができる。これによって、ファスナーエレメント22の縫製工程を効率的に短時間で行うことができる。【００９０】
以上のような縫製工程を行うことによって、所定の長さのファスナーエレメント22が、ファスナーテープ20のテープ側縁部20bに沿って、縫製糸11の二重環縫いによる２列の縫製線12により縫着されることになる。そして、本実施例１のファスナーストリンガー10を製造することができる。【００９１】
上述のようにして製造された本実施例１のファスナーストリンガー10は、ファスナーエレメント22が第１縫製線12a及び第２縫製線12bによる２列の縫製線12でファスナーテープ20に縫い付けられている。しかも、第１縫製線12a及び第２縫製線12bにおけるそれぞれの刺通部13は、テープ長さ方向に亘ってファスナーエレメント22の１ピッチごとに互い違いに配されている。即ち、隣接するファスナーエレメント22間には、刺通部13が必ず形成される構成になっている。【００９２】
このため、ファスナーエレメント22を第１縫製線12a及び第２縫製線12bによって、所定の位置からずれないように安定して固定することができ、ファスナーエレメント22の寸法精度を高めることができる。【００９３】
また、第１縫製線12a及び第２縫製線12bの列が平行に並べられて配されていることにより、同ファスナーストリンガー10を用いて図１のようなスライドファスナー1を構成した場合に、スライダー8を繰り返し摺動させてもスライダー8との摩擦力が第１縫製線12a及び第２縫製線12bに分散されることになる。これにより、各列の縫製糸11がスライダー8に摺接しても切れ難くなり、縫製線12の耐摩耗性を向上させることができる。【００９４】
更に、本実施例１のファスナーストリンガー10は、２列の第１縫製線12a及び第２縫製線12bによってファスナーエレメント22が縫着されているものの、各縫製線12の刺通部13は、ファスナーエレメント22の２ピッチごとに配されているため、ファスナーストリンガー10における柔軟性を容易に確保することができる。【００９５】
その上、同ファスナーストリンガー10では、第１縫製線12aの刺通部13及び第２縫製線12bの刺通部13の形成位置が互い違いとなるように位置をずらして配されている。この構成により、例えば前記特許文献１のスライドファスナーのように２列の縫製線の刺通部が各ファスナーエレメント間に並べて配されている構成に比べて、ファスナーエレメント22上に配される複数の縫製線12自体をファスナーテープ20などのテープ生地のように見せることができる。【００９６】
このため、例えば同ファスナーストリンガー10におけるファスナーテープ20の色彩と第１縫製線12a及び第２縫製線12bにおける縫製糸11の色彩を合わせること等により、第１縫製線12a及び第２縫製線12bを目立ち難くすることが可能となる。なお、本発明において、ファスナーテープ20、ファスナーエレメント22、及び縫製線12における縫製糸11のそれぞれの色彩は任意に選択又は変更することができる。【００９７】
即ち、図８に示すように、ファスナーストリンガー10における第１縫製線12a及び第２縫製線12bでの縫製糸11に着色された色を、それぞれ異ならせた色として配色した構成にすることができる。このとき、第１縫製線12a及び第２縫製線12bにおけるそれぞれの縫製糸11に着色された色とファスナーテープ20に着色された色とを、異ならせた配色に構成しておくこともできる。また、このとき、ファスナーエレメント22としては、透明又は半透明な材質により構成しておくことも、任意の有色に着色された構成にしておくこともできる。【００９８】
そして、図８に示したファスナーストリンガー10の背面図である図９に示すように、針糸11aにも着色を施しておくと、針糸11aの色が、ファスナーテープ20の裏面を彩る色彩として構成される。一つの縫製線12を構成する針糸11aとル―パ糸11ｂとにそれぞれ着色する色としては、同色に着色しておくことも、異なる色に着色しておくこともできる。【００９９】
針糸11aに着色した色とル―パ糸11ｂに着色した色とを異ならすことにより、縫製線12上の刺通部13において、針糸11aに着色した色を点のように針糸11aとル―パ糸11ｂとの絡み部に表出させることができる。そして、縫製線12に対して独特の色を色彩として表すことができる。また、針糸11aに着色した色とファスナーテープ20に着色した色とを、同じ色に構成しておくことも異なる色として構成しておくこともできる。【０１００】
針糸11aに着色した色とファスナーテープ20に着色した色とを、同色に構成したときには、針糸11aの存在を目立たなくすることができる。また、針糸11aに着色した色とファスナーテープ20に着色した色とを、異なる色に構成したときには、ファスナーテープ20の裏面側にも色彩を与えておくことができる。【０１０１】
縫製糸11としては、先染した糸を使用することができる。また、ファスナーテープ20を構成する糸（織糸、編糸）も縫製糸11と同様に先染の糸を使用することができる。先染の糸は、縫着、織成又は編成する前の糸を染色することにより構成することができる。あるいは、糸に顔料を混ぜることなどによって作ることができる。【０１０２】
ファスナーエレメント22に色を着色する場合には、ファスナーエレメント22をファスナーテープ20に縫い付ける前に、ファスナーエレメント自体を染色するか、ファスナーエレメント22を構成する材料に顔料を添加して着色を施しておくことができる。【０１０３】
図１０は、図８で示したファスナーストリンガー10を左右一対で用いて、各ファスナーストリンガー10のファスナーエレメント22同士を噛合させた状態を示している。この噛合状態では、左右一対のファスナーストリンガー10における第１縫製線12a同士が同色に配され、第２縫製線12b同士は、第１縫製線12aとは異なる色であって同色に配されている。【０１０４】
図１１には、ファスナーストリンガー10を左右一対で用いて、各ファスナーストリンガー10のファスナーエレメント22同士を噛合させた状態を示している。図１１の向かって左側のファスナーストリンガー10に配された縫製線12における色と、図１１の向かって右側のファスナーストリンガー10に配された縫製線12の色とが互いに異なる色に配色されている。【０１０５】
即ち、向かって左側のファスナーストリンガー10に配された縫製線12における第１縫製線12aの色と第２縫製線12bの色とは、互いに同色に配されている。そして、向かって右側のファスナーストリンガー10に配された縫製線12は、左側のファスナーストリンガー10に配した縫製線12の色とは異なる色に構成されており、しかも右側のファスナーストリンガー10に配された縫製線12における第１縫製線12aの色と第２縫製線12bの色とは互いに同色に配色されている。またこの場合、ファスナーエレメント22を、左右のファスナーストリンガー10間で同色に着色しておくことも、異なる色に着色しておくこともできる。【０１０６】
図８〜図１１では、ファスナーストリンガー10に２列の縫製線12を形成した構成に付いて説明を行ったが、ファスナーストリンガー10に３列以上の縫製線12を形成した場合についても、全ての縫製線12の縫製糸11における色が、適宜の組合せとなるようにそれぞれ着色しておくことができる。また、本願において着色という表現は、有色以外である透明及び半透明も本願発明では、着色に包含されるものである。【０１０７】
また、全ての縫製線12の縫製糸11における色の組合せ、ファスナーテープ20の色の組合せ、ファスナーエレメント22の色の組合せ、上止具6（図１を参照）に着色した色、下止具7に着色した色、これらの色の組み合わせは、デザイン性や意匠性を考慮して適宜の組合せとして構成しておくことができる。【０１０８】
更に、スライダー8（図１を参照）としては、縫製糸11と同色に構成しておくことも、縫製糸11とは異なる色に構成しておくこともできる。スライダー8への着色としては、塗装による着色や顔料を添加した樹脂材による構成等、適宜の着色方法を採用することができる。【０１０９】
ファスナーエレメント22内に芯紐27（図３を参照）を挿入した構成のときは、縫製糸11と同色に構成したり、ファスナーテープ20の色と同色に構成することができる。また、芯紐27の色をファスナーエレメント22と同色に構成しておくこともできる。【０１１０】
芯紐27は、縫製線12が透明又は半透明のときに外部から視認することができるが、一般に芯紐27は外部から見えにくい。このため、製造コストの面を考慮すると縫製糸11等の色とは異なる色、例えば、白色に構成しておくことができる。【０１１１】
なお、縫製糸11等の色とは異なる色として白色を例示したが、白色は芯紐27に着色する色として限定されるものではなく、必要に応じて、ファスナーエレメント22やファスナーテープ20、縫製糸11における色として使用することができる。【０１１２】
また、上止具6や下止具7（図１を参照）としては、透明にしておくこともできるが、縫製糸11と同色に着色しておくことも、縫製糸11とは異なる色に着色しておくこともできる。上止具6及び下止具7の着色についても、上記と同様に適宜の着色方法を採用できる。【０１１３】
本実施例１では、上述のようにスタンダードタイプのスライドファスナー1に用いられるファスナーストリンガー10について説明しているが、本発明において、スライドファスナーの種類は特に限定されるものではなく、例えば隠しタイプのスライドファスナー用ファスナーストリンガーに対しても本発明を好適に適用することができる。【０１１４】
ここで、実施例１の変形例となる隠しタイプのスライドファスナーについて、図５を参照しながら具体的に説明する。この隠しタイプのスライドファスナー1aは、実施例１の変形例に係るファスナーストリンガー10aを左右一対で有することにより構成されている。なお、この隠しタイプのスライドファスナー1aは、従来から一般的に用いられている図示しない上止具、下止具、及びスライダーも有している。【０１１５】
この隠しタイプスライドファスナー1aを構成するファスナーストリンガー10aは、ファスナーテープ30と、ファスナーテープ30のテープ側縁部30cに沿って配されたエレメント列21とを有した構成になっている。同エレメント列21は、コイル状に連続したファスナーエレメント22が２列の縫製糸11による二重環縫いによってファスナーテープ30に縫着されることによって構成されている。【０１１６】
この場合、ファスナーテープ30は、テープ主体部30aと、テープ主体部30aの一側縁から延設され、Ｕ字状に折り曲げられたテープ折曲部30bと、テープ折曲部30bから更に延設され、ファスナーエレメント22が縫着されるテープ側縁部30cとを有している。また、同ファスナーテープ30は、隠しタイプのスライドファスナー1aが構成されて、左右のエレメント列21が噛合したときに、左右のファスナーテープ30のテープ折曲部30b同士が接触するように構成されている。【０１１７】
また、変形例におけるコイル状のファスナーエレメント22は、前述の実施例１の場合と同様の形態に構成されており、噛合頭部23、上下脚部24，25、及び連結部26を有している。しかし、隠しタイプのスライドファスナー1aであるこの変形例では、ファスナーテープ30に対して縫着されるファスナーエレメント22の向きが前述の実施例１とは異なる。【０１１８】
即ち、この変形例においてファスナーエレメント22の縫製を行う場合、ファスナーテープ30が折り曲げられる前に、ファスナーエレメント22の上下脚部24，25間に芯紐27を挿通させる。そして、噛合頭部23をファスナーテープ30のテープ主体部30a側に向けた状態で、上下脚部24，25をファスナーテープ30のテープ側縁部30cに２列の縫製線によって縫い付ける。２列の縫製線は、それぞれ縫製糸11の二重環縫いにより形成される。【０１１９】
このとき、ファスナーエレメント22の上面側には、噛合頭部23側に配される第１縫製線12aと、連結部26側に配される第２縫製線12bの２列の縫製線12が、テープ長さ方向に沿って形成される。これらの第１縫製線12a及び第２縫製線12bは、前述の実施例１の場合と同様に構成されている。【０１２０】
そして、ファスナーエレメント22がファスナーテープ30に縫着された後、ファスナーテープ30をテープ折曲部30bにてＵ字状に折り曲げる。そして、その折り曲げられた形態のファスナーテープ30に対して熱セットが施される。これによって、ファスナーエレメント22の噛合頭部23がファスナーテープ30のテープ折曲部30bから外方に突出した状態のファスナーストリンガー10aが得られる。【０１２１】
このようにして得られたファスナーストリンガー10aを２つ一組にして組み合わせることにより、隠しタイプのスライドファスナー1aを構成する。図示せぬスライダーを摺動させることにより、左右のファスナーエレメント22の噛合頭部23同士を適切に噛み合わせることが可能となる。【０１２２】
また、この隠しタイプのスライドファスナー1aでは、左右のエレメント列21を噛合させたときに、左右のファスナーテープ30のテープ折曲部30b同士を密接させることが可能となる。このように隠しタイプのスライドファスナー1aが構成されているので、ファスナーテープ30のテープ主体部30a側からスライドファスナー1aを見たときに、噛合状態にある左右のエレメント列21をファスナーテープ30（特に、テープ折曲部30b）によって隠すことができる。【０１２３】
なお、この隠しタイプのスライドファスナー1aは、例えばファスナーエレメント22をスライドファスナー1aの外面側（外部に露出する側）に配されるように、衣服や鞄などのファスナー被着製品に取り付けて使用することも可能である。【０１２４】
このような変形例に係るファスナーストリンガー10aは、前述の実施例１と同様に、ファスナーエレメント22の寸法精度や縫製線12の耐摩耗性に優れているとともに、柔軟性を容易に確保することができる。また、この隠しタイプのスライドファスナー1aを、例えば左右のファスナーエレメント22が外面側に配されるように使用する場合でも、第１縫製線12a及び第２縫製線12bをテープ生地のように見せて目立ち難くすることが可能となる。【０１２５】
また、図８〜図１１を用いて縫製線12等を着色した構成を説明したように、隠しタイプのスライドファスナー1aにおける構成でも、第１縫製線12a、第２縫製線12bを構成する縫製糸11の色やファスナーテープ20の色、ファスナーエレメント22の色、芯紐27の色を適宜の配色となるように構成しておくことができる。【０１２６】
このように、縫製線12等における色を考慮することによって、隠しタイプのスライドファスナー1aに対する意匠性を向上させることができる。そして、隠しタイプのスライドファスナー1aを開放状態にしたときには、隠しタイプのスライドファスナー1aを装着した衣服、鞄等の裏側におけるお洒落度合いを大いに高めることができる。
【実施例２】
【０１２７】
図６は、本実施例２に係るファスナーストリンガーの一部を拡大して示す正面図である。
なお、本実施例２に係るファスナーストリンガー40では、ファスナーエレメント22をファスナーテープ20に縫着している縫製線42の本数が３本に設定されている。本実施例２に係るファスナーストリンガー40では、縫製線42の本数が３本である構成において前述の実施例１に係るファスナーストリンガー40の構成とは相違している。【０１２８】
ファスナーテープ20及びファスナーエレメント22の構成については、前述の実施例１と同様に構成されている。従って、本実施例２及び後述する実施例３において、前述の実施例１にて説明した部材及び部位と同様の構成を有するものについては、同じ符号を用いて表すことによってその説明を省略することとする。【０１２９】
本実施例２のファスナーストリンガー40は、ファスナーテープ20と、ファスナーテープ20のテープ側縁部20bに沿って配されたエレメント列21とを有している。また、エレメント列21は、コイル状に連続したファスナーエレメント22が、上下脚部24，25内に芯紐27を挿通させた状態で縫製糸41を用いてファスナーテープ20に縫着されて構成されている。【０１３０】
ファスナーエレメント22の上面側には、噛合頭部23側に配される第１縫製線42aと、第１縫製線42aに対してテープ幅方向に隣接して配される第２縫製線42bと、第２縫製線42bに隣接し、連結部26側に配される第３縫製線42cの３列の縫製線42がテープ長さ方向に沿って形成されている。【０１３１】
この場合、第１縫製線42a〜第３縫製線42cは、それぞれ縫製糸41による二重環縫いにより構成されている。第１縫製線42a〜第３縫製線42cを構成する各列の縫製糸41は、ファスナーテープ20のテープ下面側を走行しながら、ファスナーエレメント22間のテープ部分に刺通されて刺通部43を形成する針糸と、刺通部43にて針糸に交絡しながら、ファスナーエレメント22の上脚部24側を走行して、ファスナーエレメント22の上面側を押さえるルーパ糸とを有している。【０１３２】
特に本実施例２では、第１縫製線42a〜第３縫製線42cの各列に形成される刺通部43が、ファスナーエレメント22の２ピッチごとに配されている。第１縫製線42a上の刺通部43と第３縫製線42c上の刺通部43とは、テープ長さ方向において、同じファスナーエレメント22間における同じテープ部分の領域に配されている。【０１３３】
また、第２縫製線42b上の刺通部43は、第１縫製線42a及び第３縫製線42c上における刺通部43が形成される位置に対して、テープ長さ方向にファスナーエレメント22の１ピッチ分ずらされて配されている。【０１３４】
従って、第１縫製線42a及び第３縫製線42c上における刺通部43の形成位置と第２縫製線42b上における刺通部43の形成位置とは、テープ長さ方向において各ファスナーエレメント22の１ピッチ分ずれて配されている。即ち、隣接するファスナーエレメント22間には、刺通部13が必ず形成される構成になっている。【０１３５】
このような構成を有する本実施例２のファスナーストリンガー40を製造する場合、前述の実施例１と同様に、ミシンを用いて、左右一対のコイル状ファスナーエレメント22同士を互いに噛み合わせた状態で、同コイル状ファスナーエレメント22がファスナーテープ20に縫着される。【０１３６】
この場合、本実施例２では、１本のファスナーエレメント22を１つのファスナーテープ20に縫着するために、ミシンの縫製部には３本のミシン針が備えられている（即ち、２つのコイル状ファスナーエレメント22を互いに噛み合わせた状態で縫製するために、ミシンの縫製部には、左右にそれぞれ３本ずつ合計６本のミシン針が備えられている）。【０１３７】
また、ミシンの縫製部に備えられた片側のコイル状ファスナーエレメント22を縫着する３本のミシン針は、第２縫製線42bを形成するミシン針の位置が、第１縫着線42a及び第３縫製線42cをそれぞれ形成するミシン針の位置に対して、ファスナーテープ20の搬送方向の上流側又は下流側にずらされた位置に配されている。【０１３８】
これにより、本実施例２では、ファスナーエレメント22の縫製によって形成される第２縫製線42bの刺通部43を、第１縫着線42a及び第３縫製線42cの刺通部43に対して、上述のようにファスナーエレメント22の１ピッチ分の大きさでテープ長さ方向に確実にずらして配することができる。しかも、第１縫製線42aを形成するミシン針の位置と第３縫製線42cを形成するミシン針の位置とは、第２縫製線42bの幅分離間した位置に配されている。【０１３９】
このように構成されているので、第２縫製線42bを形成するミシン針と第１縫製線42a及び第３縫製線42cを形成するミシン針とが互いに干渉することなく上下方向に往復運動することができる。そして、各ミシン針を折損することなく、ファスナーエレメント22をファスナーテープ20に対して円滑に且つ安定して縫着することができる。【０１４０】
しかも、本実施例２では、前述の実施例１と同様に、ファスナーエレメント22の縫製加工において、ミシン針の１回の往復運動に対して、ファスナーテープ20及びファスナーエレメント22を、ファスナーエレメント22の２ピッチ分の送り量で下流側に送ることができるため、ファスナーエレメント22の縫製工程を効率的にしかも短時間で行うことができる。【０１４１】
そして、上述のような縫製工程が行われて製造された本実施例２のファスナーストリンガー40では、ファスナーエレメント22が第１縫製線42a〜第３縫製線42cによってファスナーテープ20に対してしっかりと縫い付けられることになる。しかも、縫い付け時において、第２縫製線42b上に形成される刺通部43と第１縫製線42a及び第３縫製線42c上に形成される刺通部43とが、ファスナーエレメント22の１ピッチごとに互い違いに配されている。即ち、隣接するファスナーエレメント22間には、刺通部13が必ず形成される構成になっている。【０１４２】
このように構成されているので、ファスナーエレメント22を所定の位置からずれないように安定して固定しておくことができ、ファスナーエレメント22の寸法精度を高めることができる。しかも、ファスナーストリンガー40における柔軟性を適切に確保することができる。更に、同ファスナーストリンガー40は、第１縫製線42a〜第３縫製線42cが平行に並べられて配されているため、図示せぬスライダーが縫製線42上を摺動しても各列の縫製糸41が切れ難くなり、縫製線42の耐摩耗性を向上させることができる。【０１４３】
また、本実施例２のファスナーストリンガー40では、ファスナーエレメント22上に３列の縫製線42が配された構成になっており、第２縫製線42b上に形成される刺通部43と第１縫製線42a及び第３縫製線42c上にそれぞれ形成される刺通部43とが互い違いの配置構成となるように刺通部43の位置がずらされている。【０１４４】
これにより、第１縫製線42a〜第３縫製線42cを、前述の実施例１の場合よりも幅の広いテープ生地のように見せることができるため、これらの第１縫製線42a〜第３縫製線42cによってファスナーエレメント22を隠して外部から見え難くするとともに、ファスナーエレメント22上に露呈する第１縫製線42a〜第３縫製線42cを目立ち難くすることが可能となる。【０１４５】
更に、前述の実施例１において、縫製線12等を着色した構成を説明したように、本実施例２における構成でも、第１縫製線42a〜第３縫製線42cを構成する縫製糸41の色やファスナーテープ20の色、ファスナーエレメント22の色、芯紐27の色を適宜の配色となるように構成しておくことができる。【０１４６】
このように、縫製線12等における色を考慮することによって、実施例２の構成で製造されたスライドファスナーに対する意匠性を向上させることができ、スライドファスナーを装着した衣服、鞄等に対する意匠性も向上させることができる。
【実施例３】
【０１４７】
図７は、本実施例３に係るファスナーストリンガーの一部を拡大して示す正面図である。
本実施例３のファスナーストリンガー50は、ファスナーテープ20と、ファスナーテープ20のテープ側縁部20bに沿って配されたエレメント列21とを有している。また、エレメント列21は、コイル状に連続したファスナーエレメント22が、上下脚部24，25内に芯紐27を挿通させた状態で縫製糸51を用いてファスナーテープ20に縫着されることによって構成されている。【０１４８】
ファスナーエレメント22の上面側には、噛合頭部23側に配される第１縫製線52aと、第１縫製線52aに対してテープ幅方向に隣接して配される第２縫製線52bと、第２縫製線52bに隣接し、連結部26側に配される第３縫製線52cからなる３列の縫製線52がテープ長さ方向に沿って形成されている。【０１４９】
この場合、第１縫製線52a〜第３縫製線52cは、それぞれ縫製糸51を二重環縫いすることにより構成されている。各列の縫製糸51は、ファスナーテープ20のテープ下面側を走行しながら、ファスナーエレメント22間におけるテープ部分に刺通されて刺通部53を形成する針糸と、刺通部53にて針糸に交絡しながら、ファスナーエレメント22の上脚部24側を走行し、ファスナーエレメント22の上面側を押さえるルーパ糸とを有している。【０１５０】
図７に示した本実施例３では、第１縫製線52a〜第３縫製線52cの各列に形成される刺通部53は、それぞれテープ長さ方向に亘ってファスナーエレメント22の３ピッチごとに配されている。また、第２縫製線52bに形成される刺通部53の位置は、第１縫製線52aに形成される刺通部53の位置に対して、テープ長さ方向の一方（前方）にファスナーエレメント22の１ピッチ分ずらして配されている。【０１５１】
また、第３縫製線52cに形成される刺通部53の位置は、前記第２縫製線52bの前記刺通部53に対して、テープ長さ方向の一方（前方）に前記ファスナーエレメント22の１ピッチ分ずらして配され、かつ第１縫製線52aに形成される刺通部53の位置に対して、テープ長さ方向の一方（前方）にファスナーエレメント22の２ピッチ分ずらして配されている。【０１５２】
即ち、各縫製線52a〜52cにそれぞれ形成される刺通部53の位置が、テープ幅方向において、ファスナーエレメント22の１ピッチ分づつテープ長さ方向の一方（前方）にずらした配置構成されている。そして、隣接するファスナーエレメント22間には、刺通部53が必ず形成される構成になっている。【０１５３】
なお、本実施例３に係る各縫製線52a〜52cにそれぞれ形成される刺通部53の位置の変形例としては、第２縫製線52bに形成される刺通部53の位置が、第１縫製線52aに形成される刺通部53の位置に対して、テープ長さ方向の一方（前方）にファスナーエレメント22の２ピッチ分ずらして配され、第３縫製線52cに形成される刺通部53の位置が、第１縫製線52aに形成される刺通部53の位置に対して、テープ長さ方向の一方（前方）にファスナーエレメント22の１ピッチ分ずらして配された構成にしておくことも可能である。【０１５４】
即ち、各縫製線52a〜52cにそれぞれ形成される刺通部53の位置が、テープ幅方向において、第２縫製線52bに形成される刺通部53の位置が第１縫製線52aに形成される刺通部53の位置からファスナーエレメント22の２ピッチずつ分テープ長さ方向の一方（前方）にずらした位置に配され、第３縫製線52cに形成される刺通部53の位置が第２縫製線52bに形成される刺通部53の位置からファスナーエレメント22の１ピッチずつ分テープ長さ方向の他方（後方）にずらした位置に配された構成にしておくこともできる。【０１５５】
なお、第２縫製線52bに形成される刺通部53の位置を、第１縫製線52aに形成される刺通部53の位置に対して、テープ長さ方向の一方（前方）にファスナーエレメント22の２ピッチ分ずらして配設し、第３縫製線52cに形成される刺通部53の位置を、第２縫製線52bに形成される刺通部53の位置からファスナーエレメント22の１ピッチずつ分テープ長さ方向の他方（後方）にずらした位置に配した構成の図示は、省略している。【０１５６】
このような構成を有する本実施例３のファスナーストリンガー50を製造する場合、前述の実施例１及び２と同様に、ミシンを用いて、２つのコイル状ファスナーエレメント22を互いに噛み合わせた状態でファスナーテープ20に縫着される。この場合、本実施例３では、１本のファスナーエレメント22を３列の縫製線52a〜52cにより１つのファスナーテープ20に縫着するために、一つのファスナーストリンガー50を製造するのにミシンの縫製部には３本のミシン針が備えられている。【０１５７】
２つのコイル状ファスナーエレメント22を互いに噛み合わせた状態で左右一対のファスナーストリンガー50を製造する場合には、左右それぞれに３本のミシン針が備えられることになる。【０１５８】
また、ミシンの縫製部に備えられた３本のミシン針は、第１縫製線52aを形成するミシン針の位置に対して、第２縫製線52bを形成するミシン針の位置及び第３縫製線52cを形成するミシン針の位置が、ファスナーテープ20の搬送方向の上流側又は下流側にファスナーエレメント22の１ピッチ分又は２ピッチ分の大きさでずらされた状態に配されている。
これにより、本実施例３では、第１縫製線52a〜第３縫製線52cの刺通部53のそれぞれにおける形成位置を、上述したような位置関係にずらして配することができる。そして、隣接するファスナーエレメント22間には、刺通部13が必ず形成される構成にすることができる。【０１５９】
このように構成されているので、第１縫製線52a〜第３縫製線52cを形成する各ミシン針が互いに干渉することなく上下方向に往復運動することができる。そして、各ミシン針を折損させることなく、ファスナーエレメント22をファスナーテープ20に対して円滑に且つ安定して縫着することができる。【０１６０】
しかも、本実施例３では、ファスナーエレメント22の縫製時に、ミシン針が上下方向の往復運動を１回行うことで、ファスナーテープ20及びファスナーエレメント20を、ファスナーエレメント22の３ピッチ分の送り量で下流側に送ることができる。このため、ファスナーエレメント22の縫製工程を一層効率的にしかもより短時間で行うことができる。【０１６１】
そして、上述のような縫製工程が行われて製造された本実施例３のファスナーストリンガー50は、前述の実施例１等と同様に、ファスナーエレメント22の寸法精度を高めることができるとともに柔軟性を容易に確保することができ、また、縫製線52の耐摩耗性も向上させることができる。【０１６２】
更に、本実施例３のファスナーストリンガー50では、ファスナーエレメント22上に３列の縫製線52が配されており、第１縫製線52a〜第３縫製線52cの各列にそれぞれ形成した刺通部53は、テープ幅方向において相互に重なり合わないようにして、しかもテープ長さ方向においても位置をずらして配されている。【０１６３】
これにより、第１縫製線52a〜第３縫製線52cを、前述の実施例２の場合と同様に幅の広いテープ生地のように見せることができる。そして、これらの第１縫製線52a〜第３縫製線52cによってファスナーエレメント22を隠すことができ、ファスナーエレメント22を外部から見え難くすることができる。これによって、ファスナーエレメント22上に露呈する第１縫製線52a〜第３縫製線52cを目立ち難くすることが可能となる。【０１６４】
更に、前述の実施例１において、縫製線12等を着色した構成を説明したように、本実施例３における構成でも、第１縫製線52a〜第３縫製線52cを構成する縫製糸51の色やファスナーテープ20の色、ファスナーエレメント22の色、芯紐27の色を適宜の配色となるように構成しておくことができる。【０１６５】
このように、縫製線52等における色を考慮することによって、実施例３の構成で製造されたスライドファスナーに対する意匠性を向上させることができ、スライドファスナーを装着した衣服、鞄等に対する意匠性も向上させることができる。
【符号の説明】
【０１６６】
１                スライドファスナー
１ａ              （隠しタイプの）スライドファスナー
６                上止具
７                下止具
８                スライダー
１０                ファスナーストリンガー
１０ａ              ファスナーストリンガー
１１                縫製糸
１１ａ              針糸
１１ｂ              ルーパ糸
１２                縫製線
１２ａ              第１縫製線
１２ｂ              第２縫製線
１３                刺通部
２０                ファスナーテープ
２０ａ              テープ主体部
２０ｂ              テープ側縁部
２１                エレメント列
２２                ファスナーエレメント
２３                噛合頭部
２４                上脚部
２５                下脚部
２６                連結部
２７                芯紐
３０                ファスナーテープ
３０ａ              テープ主体部
３０ｂ              テープ折曲部
３０ｃ              テープ側縁部
４０                ファスナーストリンガー
４１                縫製糸
４２                縫製線
４２ａ              第１縫製線
４２ｂ              第２縫製線
４２ｃ              第３縫製線
４３                刺通部
５０                ファスナーストリンガー
５１                縫製糸
５２                縫製線
５２ａ              第１縫製線
５２ｂ              第２縫製線
５２ｃ              第３縫製線
５３                刺通部
【図１】
2012035823.tif 000003
【図２】
2012035823.tif 000004
【図３】
2012035823.tif 000005
【図４】
2012035823.tif 000006
【図５】
2012035823.tif 000007
【図６】
2012035823.tif 000008
【図７】
2012035823.tif 000009
【図８】
2012035823.tif 000010
【図９】
2012035823.tif 000011
【図１０】
2012035823.tif 000012
【図１１】
2012035823.tif 000013
【図１２】
2012035823.tif 000014
【手続補正書】
【提出日】平成25年2月22日(2013.2.22)
【手続補正１】
【補正対象書類名】図面
【補正対象項目名】図５
【補正方法】変更
【補正の内容】
【図５】
2012035823.tif 000015
【国際調査報告】
2012035823.tif 000016
2012035823.tif 000017
2012035823.tif 000018
2012035823.tif 000019